(57)【特許請求の範囲】
【請求項１】
ファンケース(１)内に冷却ファン(２)を収容し、ファンケース(１)に吸風口(３)を設け、冷却ファン(２)にフィルタプレート(４)を取り付け、吸風口(３)をフィルタプレート(４)で覆い、吸風口(３)の開口縁部にファンケース(１)の外側に突出する円筒状の防塵壁(５)を設け、フィルタプレート(４)のフィルタプレート周縁部(４ａ)に防塵壁(５)の外周面に沿って回転する複数の外歯(６)を設けた空冷エンジンにおいて、
外歯(６)に回転方向に対して傾斜する起風部(７)を設け、回転する起風部(７)で外歯(６)と防塵壁(５)との隙間(８)からファンケース(１)外に空気(１０)を吸い出すことができるようにした、ことを特徴する空冷エンジン。
【請求項２】
請求項１に記載した空冷エンジンにおいて、
フィルタプレート周縁部(４ａ)に防塵壁(５)の内周面に沿って回転する複数の内歯(９)を設けた、ことを特徴する空冷エンジン。
【発明の詳細な説明】
【技術分野】
【０００１】
本発明は、空冷エンジンに関し、詳しくは、ファンケース内に長い刈草等の塵芥が進入する不具合を抑制することができるとともに、刈草等の塵芥の切断片が外歯と防塵壁との間に詰まる不具合を抑制することができる空冷エンジンに関する。
【背景技術】
【０００２】
従来、空冷エンジンとして、ファンケース内に冷却ファンを収容し、ファンケースに吸風口を設け、冷却ファンにフィルタプレートを取り付け、吸風口をフィルタプレートで覆い、吸風口の開口縁部にファンケースの外側に突出する円筒状の防塵壁を設け、フィルタプレートのフィルタプレート周縁部に防塵壁の外周面に沿って回転する複数の外歯を設けたものがある(例えば、特許文献１参照)。
この種の空冷エンジンによれば、フィルタプレートで除塵した空気を吸風口からファンケース内に吸風し、草刈刃で刈り取られた刈草等の塵芥がファンケース内に進入するのを防止することができるとともに、防塵壁に接近する刈草等の塵芥を外歯で切断し、或いは跳ね飛ばして、刈草等の塵芥が防塵壁の外周面に沿ってファンケースに進入するのを防止することができる利点がある。
しかし、この従来技術では、外歯と防塵壁との隙間からファンケース内への外気の吸い込みを防止する手段がないため、問題がある。
【先行技術文献】
【特許文献】
【０００３】
【特許文献１】実開昭５３−１３９４３４号公報(第２図、第３図参照)
【発明の概要】
【発明が解決しようとする課題】
【０００４】
《問題１》  ファンケース内に長い刈草等の塵芥が進入しやすい。
外歯と防塵壁との隙間からファンケース内への外気の吸い込みを防止する手段がないため、外歯で切断されなかった長い刈草等の塵芥が防塵壁の外周面に沿って外気とともにファンケース内に吸い込まれ、ファンケース内に長い刈草等の塵芥が進入しやすい。この場合、長い刈草等の塵芥がファンケース内やその下流の冷却風路を詰まらせ、或いは、ファンケース内やその下流の冷却風路に配置された部品(例えば、イグナイタ、点火プラグ等)に絡みついて、部品の放熱を妨げる問題が生じる。
【０００５】
《問題２》  刈草等の塵芥の切断片が歯と防塵壁との間に詰まりやすい。
外歯と防塵壁との隙間からファンケース内への外気の吸い込みを防止する手段がないため、外歯で切断された刈草等の塵芥の切断片が外歯と防塵壁との隙間に吸い込まれ、外歯と防塵壁との間に詰まりやすい。この場合、歯の回転に大きな抵抗がかかり、エンジンの出力損失となる。
【０００６】
本発明の課題は、ファンケース内に長い刈草等の塵芥が進入する不具合を抑制することができるとともに、刈草等の塵芥の切断片が外歯と防塵壁との間に詰まる不具合を抑制することができる空冷エンジンを提供することにある。
【課題を解決するための手段】
【０００７】
請求項１に係る発明の発明特定事項は、次の通りである。
図３または図１(Ａ)に例示するように、ファンケース(１)内に冷却ファン(２)を収容し、ファンケース(１)に吸風口(３)を設け、冷却ファン(２)にフィルタプレート(４)を取り付け、吸風口(３)をフィルタプレート(４)で覆い、吸風口(３)の開口縁部にファンケース(１)の外側に突出する円筒状の防塵壁(５)を設け、フィルタプレート(４)のフィルタプレート周縁部(４ａ)に防塵壁(５)の外周面に沿って回転する複数の外歯(６)を設けた空冷エンジンにおいて、
図１(Ｂ)に例示するように、外歯(６)に回転方向に対して傾斜する起風部(７)を設け、回転する起風部(７)で外歯(６)と防塵壁(５)との隙間(８)からファンケース(１)外に空気(１０)を吸い出すことができるようにした、ことを特徴する空冷エンジン。
【発明の効果】
【０００８】
(請求項１に係る発明)
請求項１に係る発明は、次の効果を奏する。
《効果１》ファンケース内に長い刈草等の塵芥が進入する不具合を抑制することができる。
図１(Ｂ)に例示するように、外歯(６)に回転方向に対して傾斜する起風部(７)を設け、回転する起風部(７)で外歯(６)と防塵壁(５)との隙間(８)からファンケース(１)外に空気(１０)を吸い出すことができるようにしたので、外歯(６)で切断されなかった長い刈草等の塵芥が防塵壁(５)の外周面に沿ってファンケース(１)内に吸い込まれる不具合が起こりにくい。また、傾斜した起風部(７)で塵芥が外向きに跳ね飛ばされやすく、塵芥が外歯(６)の内側に入りにくい。このため、ファンケース(１)内に長い刈草等の塵芥が進入する不具合を抑制することができる。
【０００９】
《効果２》刈草等の塵芥の切断片が外歯と防塵壁との間に詰まる不具合を抑制することができる。
図１(Ｂ)に例示するように、外歯(６)に回転方向に対して傾斜する起風部(７)を設け、回転する起風部(７)で外歯(６)と防塵壁(５)との隙間(８)からファンケース(１)外に空気(１０)を吸い出すことができるようにしたので、外歯(６)で切断された刈草等の塵芥の切断片が外歯(６)と防塵壁(５)との隙間(８)に吸い込まれにくく、刈草等の塵芥の切断片が外歯(６)と防塵壁(５)との間に詰まる不具合を抑制することができる。
【００１０】
(請求項２に係る発明)
請求項２に係る発明は、請求項１に係る発明の効果に加え、次の効果を奏する。
《効果３》  ファンケース内に長い刈草等の塵芥が進入するのを抑制する機能が高い。
図１(Ｂ)に例示するように、フィルタプレート周縁部(４ａ)に防塵壁(５)の内周面に沿って回転する複数の内歯(９)を設けたので、外歯(６)で切断されなかった長い刈草等の塵芥が防塵壁(５)の外周面に沿ってファンケース(１)内に吸い込まれることがあっても、回転する内歯(９)でこれを切断することができ、ファンケース(１)内に長い刈草等の塵芥が進入するのを抑制する機能が高い。
【図面の簡単な説明】
【００１１】
【図１】本発明の実施形態に係る空冷エンジンを説明する図で、図１(Ａ)は  フィルタプレート周縁部とその周辺部分の拡大図、図１(Ｂ)は図１(Ａ)のＢ−Ｂ線断面図である。
【図２】本発明の実施形態に係る空冷エンジンで用いるフィルタプレートの正面図である。
【図３】本発明の実施形態に係る空冷エンジンの縦断側面図である。
【発明を実施するための形態】
【００１２】
図１〜図３は本発明の実施形態に係る空冷エンジンを説明する図であり、この実施形態では、Ｖ型２気筒空冷火花点火式エンジンについて説明する。
【００１３】
図３に示すように、このエンジンは、クランクケース(１５)の上部にシリンダ(１６)を設けだシリンダブロック(１４)を備え、シリンダ(１６)の上部にシリンダヘッド(１７)を組み付け、シリンダヘッド(１７)の上部にシリンダヘッドカバー(１８)を組み付けている。シリンダブロック(１４)を正面から見ると、左右一対のシリンダ(１６)がクランクケース(１５)から左右斜め上に向けて突出している。クランクケース(１５)内にクランク軸(１９)を架設し、クランク軸(１９)の先端部をクランクケース(１５)から突出させ、このクランク軸(１９)の先端部にフライホイール(２０)を取り付け、このフライホイール(２０)に冷却ファン(２)を取り付けている。シリンダブロック(１４)の前部にはファンケース(１)を取り付けている。
【００１４】
図３または図１(Ａ)に示すように、ファンケース(１)内に冷却ファン(２)を収容し、ファンケース(１)に吸風口(３)を設け、冷却ファン(２)にフィルタプレート(４)を取り付け、吸風口(３)をフィルタプレート(４)で覆い、吸風口(３)の開口縁部にファンケース(１)の外側に突出する円筒状の防塵壁(５)を設け、フィルタプレート(４)のフィルタプレート周縁部(４ａ)に防塵壁(５)の外周面に沿って回転する複数の外歯(６)を設けている。
ファンケース(１)内にはフライホイール(２０)、イグナイタ(２２)、吸気マニホルド(２３)等も収容している。
左右一対のシリンダ(１６)(１６)の間にはファンケース(１)下流の冷却風路(図外)が形成されている。
図２に示すように、フィルタプレート(４)は多数の吸風孔(２１)を打ち抜いたパンチングメタルの成形品で、図３に示すように、取り付けボルト(１８)で冷却ファン(２)に取り付けている。
【００１５】
図１(Ｂ)に示すように、外歯(６)に回転方向に対して傾斜する起風部(７)を設け、回転する起風部(７)で外歯(６)と防塵壁(５)との隙間(８)からファンケース(１)外に空気(１０)を吸い出すことができるようにしている。
起風部(７)は外歯(６)の回転下手側部分を外側に折り曲げて形成している。
【００１６】
図１(Ｂ)に示すように、フィルタプレート周縁部(４ａ)に防塵壁(５)の内周面に沿って回転する複数の内歯(９)を設けている。
【符号の説明】
【００１７】
(１) ファンケース
(２) 冷却ファン
(３) 吸風口
(４) フィルタプレート
(４ａ) フィルタプレート周縁部
(５) 防塵壁
(６) 外歯
(７) 起風部
(８) 隙間
(９) 内歯
(１０) 空気
【図１】
0005462818.tif 000002
【図２】
0005462818.tif 000003
【図３】
0005462818.tif 000004